(57)【要約】【課題】頭皮に対して磁力による刺激をより確実に供給できる頭皮ケア装置を提供する。【解決手段】磁力発生部としての永久磁石３５は、極性の異なる一対の磁極を１つ以上備る。永久磁石３５は、施術突起３３を頭皮Ｈに接触された際に少なくとも一方の磁極３５ｓが頭皮Ｈと対向するように配置され、他方の磁極３５ｎは一方の磁極とで形成される磁力線Ｌが頭皮Ｈ内を通過する態様で構成される。【選択図】図１
2013208231.tif 000002
【特許請求の範囲】
【請求項１】
人体の頭皮と接触し、駆動源の駆動により動作される施術子の施術突起にて前記頭皮に刺激を付与しつつ、磁力発生部により磁力を発生させて前記頭皮に磁力による刺激を付与する頭皮ケア装置であって、
前記磁力発生部は、極性の異なる一対の磁極を１つ以上備え、前記施術突起を頭皮に接触された際に少なくとも一方の磁極が前記頭皮と対向するように配置され、他方の磁極は前記一方の磁極とで形成される磁力線が前記頭皮内を通過する態様で構成されたことを特徴とする頭皮ケア装置。
【請求項２】
請求項１に記載の頭皮ケア装置において、
前記一対の磁極は、前記施術突起を頭皮に接触させた際にいずれの磁極も前記頭皮に対向するように配置されたことを特徴とする頭皮ケア装置。
【請求項３】
請求項１又は２に記載の頭皮ケア装置において、
前記施術子は、前記駆動源の回転駆動力により回転される出力軸と連結されて回転駆動されるものであり、
前記一対の磁極は、前記施術子の施術突起に配置されたことを特徴とする頭皮ケア装置。
【請求項４】
請求項３に記載の頭皮ケア装置において、
前記磁力発生部は、電磁石で構成されるものであり、
前記電磁石で発生する磁力の強度を可変とする磁気制御部を有することを特徴とする頭皮ケア装置。
【請求項５】
請求項４に記載の頭皮ケア装置において、
前記磁力発生部は複数の電磁石を有して構成され、
前記磁気制御部は、使用者が施術子を頭皮に接触させた際に頭皮に対向するように配置された電磁石の磁極のうち少なくとも１つの磁極の極性が他の磁極の極性と異なるように制御することを特徴とする頭皮ケア装置。
【発明の詳細な説明】
【技術分野】
【０００１】
本発明は、施術突起を頭皮に接触させて刺激を付与する頭皮ケア装置に関するものである。
【背景技術】
【０００２】
従来、例えば特許文献１の頭皮ケア装置では、施術突起を備えた施術子が駆動源により回転駆動され、この回転される施術子の施術突起を頭皮に接触させて刺激を与えることで、血流促進等の頭皮のケア効果（マッサージ効果）が得られるようになっている。
【０００３】
また、特許文献２のマッサージ装置では、施術突起（特許文献２では按摩ヘッド）内に永久磁石を配し、施術突起の刺激に加えて磁気による刺激も与えることができるようになっている。このマッサージ装置は、前述したように頭皮に接触させることで、施術突起の刺激に加えて磁気による刺激を頭皮に付与することが可能となる。
【先行技術文献】
【特許文献】
【０００４】
【特許文献１】特開平７−２１３３２８号公報
【特許文献２】登録実用新案第３０４１４８７号公報
【発明の概要】
【発明が解決しようとする課題】
【０００５】
ところで、上記のように、単に永久磁石を施術突起に設けるだけでは、頭皮に対して磁気による刺激を好適に付与できない虞がある。
本発明は、上記課題を解決するためになされたものであって、その目的は、頭皮に対して磁力による刺激をより確実に供給できる頭皮ケア装置を提供することにある。
【課題を解決するための手段】
【０００６】
上記課題を解決するために、本発明の頭皮ケア装置は、人体の頭皮と接触し、駆動源の駆動により動作される施術子の施術突起にて前記頭皮に刺激を付与しつつ、磁力発生部により磁力を発生させて前記頭皮に磁力による刺激を付与する頭皮ケア装置であって、前記磁力発生部は、極性の異なる一対の磁極を１つ以上備え、前記施術突起を頭皮に接触された際に少なくとも一方の磁極が前記頭皮と対向するように配置され、他方の磁極は前記一方の磁極とで形成される磁力線が前記頭皮内を通過する態様で構成されたことを特徴とする。
【０００７】
また上記構成において、一対の磁極は、前記施術突起を頭皮に接触させた際にいずれの磁極も前記頭皮に対向するように配置されることが好ましい。
また上記構成において、施術子は、前記駆動源の回転駆動力により回転される出力軸と連結されて回転駆動されるものであり、前記一対の磁極は、前記施術子の施術突起に配置されることが好ましい。
【０００８】
また上記構成において、磁力発生部は、電磁石で構成されるものであり、前記電磁石で発生する磁力の強度を可変とする磁気制御部を有することが好ましい。
また上記構成において、磁力発生部は複数の電磁石を有して構成され、前記磁気制御部は、使用者が施術子を頭皮に接触させた際に頭皮に対向するように配置された電磁石の磁極のうち少なくとも１つの磁極の極性が他の磁極の極性と異なるように制御することが好ましい。
【発明の効果】
【０００９】
本発明によれば、頭皮に対して磁力による刺激をより確実に供給できる頭皮ケア装置を提供することができる。
【図面の簡単な説明】
【００１０】
【図１】第１実施形態の頭皮ケア装置の概略構成図である。
【図２】頭皮ケア装置のギヤの噛合について説明するための断面図である。
【図３】頭皮ケア装置の施術子について説明するための平面図である。
【図４】第２実施形態の頭皮ケア装置の概略構成図である。
【図５】第３実施形態の頭皮ケア装置の概略構成図である。
【図６】第４実施形態の頭皮ケア装置の概略構成図である。
【図７】同上の頭皮ケア装置の制御例について説明するためのタイミングチャートである。
【図８】別例の頭皮ケア装置の制御例について説明するためのタイミングチャートである。
【図９】別例の頭皮ケア装置の制御例について説明するためのタイミングチャートである。
【発明を実施するための形態】
【００１１】
（第１実施形態）
以下、本発明を具体化した第１実施形態を図面に従って説明する。
図１に示すように、本実施形態の頭皮ケア装置１０は、使用者が把持可能な本体ハウジング１１と、この本体ハウジング１１の一端側設けられる２つの施術子３１とを備えている。
【００１２】
図１及び図２に示すように、本体ハウジング１１は、外観が略矩形柱状をなす側壁部１２と、本体ハウジング１１の前記施術子３１とは反対側の端部に形成される突出部１３とを有している。なお、突出部１３は、使用者が把持するのに適した形状となっている。また、突出部１３には、使用者が操作可能な電源スイッチ１３ａが設けられる。
【００１３】
図１に示すように本体ハウジング１１の内部には、電源１５と、駆動源としてのモータ１６（図１では手前の２つのみ図示）と、制御部１７とが収容保持されている。
モータ１６は、各施術子３１が回転駆動させるためのものである。また、モータ１６は、制御部１７と電気的に接続されるとともに、その制御部１７は電源１５及び電源スイッチ１３ａと電気的に接続されている。制御部１７は、電源スイッチ１３ａがオン状態とされると、モータ１６を回転駆動させるための駆動電流を電源１５からモータ１６に供給するようになっている。
【００１４】
また、モータ１６のモータ軸１６ａは、本体ハウジング１１に設けられた軸受け１６ｂによって支持され、モータ軸１６ａの先端には、駆動ギヤ１８が取り付けられている。一方、本体ハウジング１１に設けられた軸受け１９ａ，１９ｂにより回転可能に支持された２つの第１回転軸２０には、その基端部にギヤ２１がそれぞれ取り付けられている。各ギヤ２１のうちの一方（左側のギヤ２１）はモータ１６の駆動ギヤ１８と噛合されるとともに、もう一方（右側のギヤ２１）は駆動ギヤ１８と噛合する中間ギヤ２２と噛合されている。これにより、モータ軸１６ａの回転が各ギヤ２１に伝達されるようになっている。なお、中間ギヤ２２は、一体回転可能に固定された支軸２２ａが本体ハウジング１１に設けられた軸受け２２ｂに回転可能に支持されている。
【００１５】
ギヤ２１と一体回転する第１回転軸２０の先端部は、本体ハウジング１１から外部に突出するとともに、その突出部分には円盤状の回転体２３がそれぞれ固定されている。このため回転体２３は、その中心部に第１回転軸２０が一体回転可能に固定されることとなる。また、回転体２３の上面に形成された支持部２３ａにはそれぞれ、前記施術子３１が、軸受け２４によって回転可能に支持された第２回転軸２５に支持されている。この各施術子３１を支持する第２回転軸２５は、第１回転軸２０に対して平行、且つその第１回転軸２０から軸中心がずれた位置に設定されている。このため、各施術子３１は、回転体２３の回転に基づいて第１回転軸２０周りを周回するように動作し、また頭皮Ｈに当接させた時の施術子３１がその周回動作で連れ回りしないようになっている。
【００１６】
施術子３１は、図１及び図３に示すように、第２回転軸２５に支持される略円盤状の基部３２と、この基部３２から延出する施術突起３３とを備える。施術突起３３は、図３に示すように１つの施術子３１に対して４つ形成され、これらはそれぞれ可撓性を有するエラストマで構成される。
【００１７】
また、本体ハウジング１１内には、前記施術子３１（各第１回転軸２０）間に磁力発生部としての永久磁石３５が備えられている。永久磁石３５は、略柱状（棒状）を成し、頭皮Ｈに正対する側である施術突起３３の延出方向に例えばＳ極の磁極３５ｓが位置し、施術突起３３の反延出方向に例えばＮ極の磁極３５ｎが位置するように配される。このため、永久磁石３５の磁気は、その磁力線Ｌが一対の磁極間で閉ループをなすように放出される。
【００１８】
次に、上記のように構成された頭皮ケア装置１０の動作例（作用）について説明する。
電源スイッチ１３ａが使用者によってオン操作されると、制御部１７からの制御に基づいて電源１５からモータ１６に、モータ軸１６ａを回転駆動させるための駆動電流が供給される。
【００１９】
モータ１６のモータ軸１６ａが回転駆動されると、駆動ギヤ１８、ギヤ２１及び中間ギヤ２２を介して第１回転軸２０が回転する。また、このとき、施術子３１の施術突起３３が前記第１回転軸２０を周回するように回転する。そして、施術突起３３の先端を頭皮Ｈに接触させると、施術突起３３の先端の動きに合わせて使用者の頭皮Ｈが動かされることになり、頭皮Ｈのマッサージが行われることになる。なお、施術突起３３（施術子３１）は、回転体２３に対して（第２回転軸２５中心で）回転可能に支持されている。よって、施術子３１は、負荷（施術突起３３に接触される頭皮Ｈとの摩擦等）に応じて、例えば、第１回転軸２０方向から見て第２回転軸２５に対する施術突起３３の位置関係が変化しない状態を保ったまま（スライドするように）第１回転軸２０中心に回転することが可能である。よって、負荷（頭皮Ｈや毛髪との摩擦等）によっては、各施術突起３３が第１回転軸２０を中心として（それぞれがそれぞれの半径で）単純に回転する運動に基づいて施術子３１に毛髪が絡まってしまうといった現象を回避することができる。
【００２０】
また、本実施形態の頭皮ケア装置１０は、永久磁石３５を備えているため、頭皮Ｈに対向する一方の磁極３５ｓから発生された磁力は頭皮Ｈへと作用する。このとき、磁力線Ｌは閉ループを成すよう発生されているため、垂直に近い角度（施術突起３３の延出方向と略同方向）で磁力が頭皮Ｈに付与される。これにより、確実に頭皮Ｈ内部まで磁気による刺激が付与される。
【００２１】
次に、本実施形態の特徴的な効果を記載する。
（１）磁力発生部としての永久磁石３５は、極性の異なる一対の磁極を１つ以上備る。永久磁石３５は、施術突起３３を頭皮Ｈに接触された際に少なくとも一方の磁極３５ｓが頭皮Ｈと対向するように配置され、他方の磁極３５ｎは一方の磁極とで形成される磁力線Ｌが頭皮Ｈ内を通過する態様で構成される。このように、永久磁石３５の一方の磁極３５ｓを頭皮Ｈと対向するように施術突起３３の延出方向と同方向に向くように配置することで、磁力線Ｌは閉ループを成すよう発生される。このため、垂直に近い角度（施術突起３３の延出方向と略同方向）で磁力が頭皮Ｈに付与される。これにより、確実に頭皮Ｈ内部まで磁気による刺激が付与される。また、頭皮Ｈには施術突起３３が当接することで物理的も付与される。
【００２２】
（第２実施形態）
以下、本発明を具体化した第２実施形態を図４に従って説明する。尚、第１実施形態と同じ部材については同じ符号を付して図面及び説明の全て又は一部を割愛する。
【００２３】
本実施形態の頭皮ケア装置１０では、磁力発生部としての永久磁石４０の形状が異なる。具体的には、永久磁石４０はＵ字形状をなすように形成され、各磁極４０ｓ，４０ｎが頭皮Ｈに対向するように施術突起３３の延出方向に向くように配意される。
【００２４】
次に、上記のように構成された頭皮ケア装置１０の作用について説明する。
電源スイッチ１３ａが使用者によってオン操作されると、制御部１７からの制御に基づいて電源１５からモータ１６に、モータ軸１６ａを回転駆動させるための駆動電流が供給される。これにより、施術子３１が回転駆動される。
【００２５】
また、永久磁石４０は、略Ｕ字状として、各磁極４０ｓ，４０ｎが頭皮Ｈと対向しているため、頭皮Ｈに一方の磁極のみが対向する場合と比較して、磁力線Ｌの密度が高くなり強い磁力が頭皮Ｈに作用する。これにより、より確実に強い磁気的刺激が頭皮Ｈに付与される。
【００２６】
次に、本第２実施形態によれば、上記第１実施形態の（１）の効果に加えて以下の効果を有する。
（２）永久磁石４０の一対の磁極４０ｓ，４０ｎは施術突起３３を頭皮に接触させた際にいずれの磁極４０ｓ，４０ｎも頭皮Ｈに対向するように配置される。このため、頭皮Ｈに一方の磁極のみが対向する場合と比較して磁力線Ｌの密度が高くなり強い磁力が頭皮Ｈに作用する。これにより、より確実に強い磁気的刺激が頭皮Ｈに付与される。これにより、より高い血行促進効果とそれに起因する発毛・育毛効果が期待できる。
【００２７】
（第３実施形態）
以下、本発明を具体化した第３実施形態を図５に従って説明する。尚、第１実施形態と同じ部材については同じ符号を付して図面及び説明の全て又は一部を割愛する。
【００２８】
本実施形態の頭皮ケア装置１０では、磁力発生部としての永久磁石４５の配置位置が異なる。具体的には、永久磁石４５は一対の磁極４５ｓ、４５ｎを有して略柱状（棒状）をなすように形成され、各施術突起３３内部に収容される。このため、永久磁石４５は、施術突起３３の回転動作に伴って移動されることとなる。
【００２９】
次に、上記のように構成された頭皮ケア装置１０の作用について説明する。
電源スイッチ１３ａが使用者によってオン操作されると、制御部１７からの制御に基づいて電源１５からモータ１６に、モータ軸１６ａを回転駆動させるための駆動電流が供給される。これにより、施術子３１が回転駆動される。
【００３０】
また、永久磁石４５は、施術子３１の施術突起３３内に収容されているため、施術突起３３の動作範囲を永久磁石４５が移動される。このため、永久磁石が移動不能な構成と比較して、広い範囲で磁気的刺激が頭皮Ｈに付与される。また、施術子３１は、第１回転軸２０の周囲を周回する動作であるため、施術子３１を第１回転軸２０中心で回転させる場合と比較して、広い範囲を動作することとなる。このため、より広い範囲に永久磁石４５による磁気的刺激が頭皮Ｈに付与されることとなる。
【００３１】
次に、本第３実施形態によれば、上記第１実施形態の（１）の効果に加えて以下の効果を有する。
（３）施術子３１は、前記モータ１６の回転駆動力により回転される第２回転軸２５と連結されて回転駆動される。そして一対の磁極４５ｓ、４５ｎを有する永久磁石４５は、施術子３１の施術突起３３に配置される。このため、永久磁石が移動不能な構成と比較して、広い範囲で磁気的刺激が頭皮Ｈに付与される。
【００３２】
（４）また、施術子３１は、第１回転軸２０の周囲を周回する動作であるため、施術子３１を第１回転軸２０中心で回転させる場合と比較して、広い範囲を動作することとなる。このため、より広い範囲に永久磁石４５による磁気的刺激が頭皮Ｈに付与されることとなる。これに伴い、使用者の頭皮Ｈのより広い範囲に血流促進とそれに起因する発毛・育毛の効果が期待できる。
【００３３】
（第４実施形態）
以下、本発明を具体化した第４実施形態を図６及び図７に従って説明する。尚、第１及び第３実施形態と同じ部材については同じ符号を付して図面及び説明の全て又は一部を割愛する。
【００３４】
本実施形態の頭皮ケア装置１０では、磁力発生部として、磁性材料の芯材の周囲にコイルを巻装してなる電磁石５０を用いている。電磁石５０は、上記第３実施形態と同様に各施術突起３３ａ，３３ｂ内部に収容される。このため、電磁石５０は、施術突起３３ａ，３３ｂの回転動作に伴って移動されることとなる。
【００３５】
また、電磁石５０を構成するコイルは、電源１５と電気的に接続され、電源１５からの電力供給によって電磁石５０の磁化されることとなる。このとき、電源１５は、磁気制御部としての制御部１７によって電流量を調整することで電磁石５０において発生する磁力が調整されることとなる。電磁石５０は、コイルに供給される電流の向きによって極性を変化され、電磁石５０の各端部５０ａ，５０ｂが一対の磁極として機能する。そして、電磁石５０は、施術突起３３ａ，３３ｂの基端側の端部５０ａから同突起３３の先端側の端部５０ｂを見た時に、施術突起３３ａ，３３ｂの延出方向と同方向に向くように配置される。このため電磁石５０は、一対の磁極のうちの一方の磁極が頭皮Ｈと対向するように施術突起３３ａ，３３ｂの延出方向側に位置するような構成とされる。
【００３６】
次に、上記のように構成された頭皮ケア装置１０の作用について説明する。
電源スイッチ１３ａが使用者によってオン操作されると、制御部１７からの制御に基づいて電源１５からモータ１６に、モータ軸１６ａを回転駆動させるための駆動電流が供給される。これにより、施術子３１が回転駆動される。
【００３７】
また制御部１７は、電源１５を制御して、電磁石５０のコイルに電力を供給して電磁石５０の端部５０ａ，５０ｂを磁化させる。このとき、制御部１７は、施術突起３３ａに収容される電磁石５０の端部５０ｂと、施術突起３３ｂに収容される電磁石５０の端部５０ｂとは極性が異なるように電源１５を制御する。また、制御部１７は、０．５ｓｅｃ毎に磁力強度を０Ｔ〜０．３Ｔの間で周期的に繰り返すように電磁石５０への電力供給のオンオフを切り替えるべく電源１５を制御する。このような構成とすることで、人体に変動磁場を付与すると渦電流が発生し、人体を刺激する。なお、制御部１７は、図７に示すように、極性の異なる電磁石５０の通電タイミングを各電磁石５０で同期させるように電源１５を制御することが好ましい。
【００３８】
また、電磁石５０は、施術子３１の施術突起３３内に収容されているため、施術突起３３の動作範囲を電磁石５０が移動される。このため、磁石が移動不能な構成と比較して、広い範囲で磁気的刺激が頭皮Ｈに付与される。また、施術子３１は、第１回転軸２０の周囲を周回する動作であるため、施術子３１を第１回転軸２０中心で回転させる場合と比較して、広い範囲を動作することとなる。このため、より広い範囲に電磁石５０による磁気的刺激が頭皮Ｈに付与されることとなる。
【００３９】
次に、本第４実施形態によれば、上記第１実施形態の（１）の効果に加えて以下の効果を有する。
（５）磁力発生部は、電磁石５０で構成され、前記電磁石５０で発生する磁力の強度を可変とする磁気制御部としての制御部１７を有する。このように、電磁石５０の磁力を変化させることで人体内で渦電流が発生し、その刺激により血流促進効果がより高まり、より高い発毛・育毛等の効果を使用者に与えることができる。
【００４０】
尚、本発明の各実施形態は、以下のように変更してもよい。
・上記第４実施形態では、制御部１７により電源１５からの電力供給を制御することで、施術突起３３ａに収容される電磁石５０の端部５０ｂと、施術突起３３ｂに収容される電磁石５０の端部５０ｂとの極性が異なるようにしたが、これに限らない。電磁石５０を構成するコイルの巻回方向を変えることで極性が異なるような構成を採用してもよい。
【００４１】
・上記第４実施形態では、電磁石５０への電力供給の変化を通電のオンオフのみ（図７では０．５ｓｅｃ経過する毎に磁力強度が０Ｔ〜０．３Ｔとの間で変化）としたが、これに限らない。例えば図８に示すように、電磁石５０への電流量を変化させて磁力を強弱（図８では０．５ｓｅｃ毎に磁力強度が０．１Ｔ〜０．３Ｔとの間で変化）させる構成を採用してもよい。所望の渦電流量が発生するだけの磁力の変化があれば特に磁力強度の設定値は任意に変更してもよい。
【００４２】
・上記各実施形態では、特に言及していないが、例えば、電磁石を用いる構成の場合、
施術突起３３ａに収容される電磁石５０の端部５０ｂと、施術突起３３ｂに収容される電磁石５０の端部５０ｂとは極性が変化するような構成としてもよい。例えば、図９に示すように、所定時間において一方の電磁石５０の端部５０ｂがＮ極とされ、他方の電磁石５０の端部５０ｂがＳ極とされ、これらが時間経過（図９では０．５ｓｅｃ毎）に伴って反転を繰り替えさせる。このとき、制御部１７は、図９に示すように電磁石５０の端部５０ｂがＮ極又はＳ極となったとき、それぞれの磁力強度が０．３Ｔとなるように電源１５を制御している。このような構成とすることで、極性が周期的に変化することにより、生体内で発生する渦電流の強度がより高まり、生体刺激効果が高まり、そのため血行促進効果等を高め、さらに高い発毛・育毛等の効果が期待できる。
【符号の説明】
【００４３】
１０…頭皮ケア装置、１７…制御部、３１…施術子、３３，３３ａ，３３ｂ…施術突起、３５ｎ，３５ｓ，４０ｎ，４０ｓ，４５ｎ，４５ｓ…磁極、３５，４０，４５…磁力発生部を構成する永久磁石、５０…磁力発生部を構成する電磁石、Ｈ…頭皮、Ｌ…磁力線。
【図１】
2013208231.tif 000003
【図２】
2013208231.tif 000004
【図３】
2013208231.tif 000005
【図４】
2013208231.tif 000006
【図５】
2013208231.tif 000007
【図６】
2013208231.tif 000008
【図７】
2013208231.tif 000009
【図８】
2013208231.tif 000010
【図９】
2013208231.tif 000011